(57)【要約】【課題】データ量の少ないプロキシデータしか得ることができない場合に、そのプロキシデータから、本線データと同等のデータを生成させる。【解決手段】  本線データが映像記録装置１１からディスク装置１４に送信されてきた場合、ディスク装置１４は、本線データからプロキシデータを生成し、本線データとともに光ディスク１５に記録する。一方、プロキシデータが映像記録装置１１からディスク装置１４に送信されてきた場合、ディスク装置１４は、プロキシデータから本線データの代替となる本線同等データを生成し、プロキシデータとともに光ディスク１５に記録する。本発明は、例えば、画像または音声のデータを記録媒体に記録する記録装置に適用できる。【選択図】図１
2006352556.tif 000002
【特許請求の範囲】
【請求項１】
データ記録媒体にデータを記録する記録手段に、画像または音声の前記データを出力する情報処理装置において、
前記画像または音声のデータである本線データか、または前記本線データよりデータ量が少ない前記データであるプロキシデータのいずれか一方を取得し、出力する取得手段と、
前記取得手段において前記本線データが取得された場合、前記本線データから前記プロキシデータを生成する第１の生成手段と、
前記取得手段において前記プロキシデータが取得された場合、前記本線データの代替となる本線同等データを、前記プロキシデータから生成する第２の生成手段と、
前記取得手段において前記本線データが取得された場合には、前記取得手段により出力された前記本線データと、前記第１の生成手段により生成された前記プロキシデータとを選択し、前記取得手段において前記プロキシデータが取得された場合には、前記取得手段により出力された前記プロキシデータと、前記第２の生成手段により生成された前記本線同等データとを選択し、前記記録手段に出力する選択手段と
を備えることを特徴とする情報処理装置。
【請求項２】
前記取得手段において前記プロキシデータが取得された場合、前記本線同等データに関する情報である第１のメタデータを生成し、前記記録手段に出力する第３の生成手段をさらに備える
ことを特徴とする請求項１に記載の情報処理装置。
【請求項３】
前記取得手段は、前記本線データに関する情報である第２のメタデータも取得し、
前記取得手段が前記第２のメタデータを取得した場合、前記データ記録媒体に記録されている前記第１のメタデータが、前記第２のメタデータに置き換えられる
ことを特徴とする請求項２に記載の情報処理装置。
【請求項４】
前記第２のメタデータは、前記本線データと同時に読み出される必要のないノンリアルタイムメタデータである
ことを特徴とする請求項３に記載の情報処理装置。
【請求項５】
前記取得手段は、所定の通信路を介して所定の伝送フォーマットで送信されてくる、前記本線データか、または前記プロキシデータのいずれか一方を取得し、
前記選択手段により選択された前記本線データおよび前記プロキシデータか、または、前記プロキシデータおよび前記本線同等データを、前記伝送フォーマットから前記データ記録媒体に記録するときの記録フォーマットに変換する変換手段をさらに備える
ことを特徴とする請求項１に記載の情報処理装置。
【請求項６】
データ記録媒体にデータを記録する記録手段に、画像または音声の前記データを出力する情報処理装置の情報処理方法において、
前記画像または音声のデータである本線データか、または前記本線データよりデータ量が少ない前記データであるプロキシデータのいずれか一方を取得し、出力する取得ステップと、
前記取得ステップにおいて前記本線データが取得された場合、前記本線データから前記プロキシデータを生成する第１の生成ステップと、
前記取得ステップにおいて前記プロキシデータが取得された場合、前記本線データの代替となる本線同等データを、前記プロキシデータから生成する第２の生成ステップと、
前記取得ステップにおいて前記本線データが取得された場合には、前記取得ステップの処理により出力された前記本線データと、前記第１の生成ステップの処理により生成された前記プロキシデータとを選択し、前記取得ステップにおいて前記プロキシデータが取得された場合には、前記取得ステップの処理により出力された前記プロキシデータと、前記第２の生成ステップの処理により生成された前記本線同等データとを選択し、前記記録手段に出力する選択ステップと
を含むことを特徴とする情報処理方法。
【請求項７】
データ記録媒体にデータを記録する記録手段に、画像または音声の前記データを出力する処理を、コンピュータに実行させるプログラムが記録されている記録媒体において、
前記画像または音声のデータである本線データか、または前記本線データよりデータ量が少ない前記データであるプロキシデータのいずれか一方を取得し、出力する取得ステップと、
前記取得ステップにおいて前記本線データが取得された場合、前記本線データから前記プロキシデータを生成する第１の生成ステップと、
前記取得ステップにおいて前記プロキシデータが取得された場合、前記本線データの代替となる本線同等データを、前記プロキシデータから生成する第２の生成ステップと、
前記取得ステップにおいて前記本線データが取得された場合には、前記取得ステップの処理により出力された前記本線データと、前記第１の生成ステップの処理により生成された前記プロキシデータとを選択し、前記取得ステップにおいて前記プロキシデータが取得された場合には、前記取得ステップの処理により出力された前記プロキシデータと、前記第２の生成ステップの処理により生成された前記本線同等データとを選択し、前記記録手段に出力する選択ステップと
を含むことを特徴とするプログラムが記録されている記録媒体。
【請求項８】
データ記録媒体にデータを記録する記録手段に、画像または音声の前記データを出力する処理を、コンピュータに実行させるプログラムにおいて、
前記画像または音声のデータである本線データか、または前記本線データよりデータ量が少ない前記データであるプロキシデータのいずれか一方を取得し、出力する取得ステップと、
前記取得ステップにおいて前記本線データが取得された場合、前記本線データから前記プロキシデータを生成する第１の生成ステップと、
前記取得ステップにおいて前記プロキシデータが取得された場合、前記本線データの代替となる本線同等データを、前記プロキシデータから生成する第２の生成ステップと、
前記取得ステップにおいて前記本線データが取得された場合には、前記取得ステップの処理により出力された前記本線データと、前記第１の生成ステップの処理により生成された前記プロキシデータとを選択し、前記取得ステップにおいて前記プロキシデータが取得された場合には、前記取得ステップの処理により出力された前記プロキシデータと、前記第２の生成ステップの処理により生成された前記本線同等データとを選択し、前記記録手段に出力する選択ステップと
を含むことを特徴とするプログラム。
【発明の詳細な説明】
【技術分野】
【０００１】
本発明は、情報処理装置および方法、記録媒体、並びにプログラムに関し、特に、データ量の少ないプロキシデータしか得ることができない場合に、そのプロキシデータから、本線データと同等のデータを生成することができる情報処理装置および方法、記録媒体、並びにプログラムに関する。
【背景技術】
【０００２】
従来、高解像度の画像データと音声データとともに、それより低解像度の画像データと音声データを記録媒体に記録するようにした記録装置がある（例えば、特許文献１参照）。
【０００３】
テレビジョン放送用の映像（音声も含む）を撮影し、記録媒体に記録する業務用ビデオカメラには、放送に使用される高解像度の画像データと音声データ（以下、本線データという）の他に、それよりデータ量の少ない、画像データと音声データ（以下、プロキシデータという）も同時に記録媒体に記録するビデオカメラがある。
【０００４】
また、記録媒体に記録された本線データとプロキシデータを用いて、放送用の映像の編集や放送を行うディスク装置がある。ディスク装置において、例えば、編集者が記録媒体に記録された映像のプロキシ編集を行う場合には、データ量が少なく、データの読み出し等が簡易なプロキシデータが使用される。プロキシ編集とは、例えば、プロキシデータを素材として、撮影された映像シーンの中から、放送に必要なシーンを選択し、その選択されたシーンにIN点およびOUT点を設定する作業などである。設定されたIN点およびOUT点は、エディットリストとして記録される。そして、放送時には、ディスク装置は、エディットリスト（プロキシ編集により設定されたIN点およびOUT点）に基づいて、必要なシーンの映像および音声を、記録媒体に記録された本線データから抽出し、出力する（放送する）。
【０００５】
従って、そのようなディスク装置を使って、放送用の映像の編集や放送を行う場合、記録媒体には、本線データとプロキシデータの両方が記録されていることが前提となっている。
【０００６】
撮影者が、放送局から離れた遠隔地で、上述の業務用ビデオカメラを用いて撮影した場合には、通常は、本線データとプロキシデータが記録されている記録媒体が撮影者によってディスク装置のある放送局に持ち込まれ、それを用いて、上述した放送用の編集および放送が行われる。
【０００７】
【特許文献１】特開平０８−３０７８１４号公報
【発明の開示】
【発明が解決しようとする課題】
【０００８】
しかしながら、撮影された映像を緊急に放送する必要がある場合には、例えば、地球の裏側から記録媒体を持ち帰るまで待っている余裕はない。また、本線データは、そのデータ量が大きく、ネットワーク上を伝送させるのに時間がかかるため、例えば、ネットワークを介して本線データを放送局に送信しても、緊急の放送に対応することが困難である。
【０００９】
一方、撮影時に、本線データとともに記録媒体に記録されるプロキシデータは、データ量が小さく、ネットワーク上を比較的短時間で送信することができる。従って、このプロキシデータから、本線データに代わるもの（本線データと同等なもの）が用意できれば、プロキシデータと本線データと同等なデータを用いて、緊急な放送に対応することができる。
【００１０】
本発明は、このような状況に鑑みてなされたものであり、データ量の少ないプロキシデータしか得ることができない場合に、そのプロキシデータから、本線データと同等のデータを生成することができるようにするものである。
【課題を解決するための手段】
【００１１】
本発明の情報処理装置は、画像または音声のデータである本線データか、または本線データよりデータ量が少ないデータであるプロキシデータのいずれか一方を取得し、出力する取得手段と、取得手段において本線データが取得された場合、本線データからプロキシデータを生成する第１の生成手段と、取得手段においてプロキシデータが取得された場合、本線データの代替となる本線同等データを、プロキシデータから生成する第２の生成手段と、取得手段において本線データが取得された場合には、取得手段により出力された本線データと、第１の生成手段により生成されたプロキシデータとを選択し、取得手段においてプロキシデータが取得された場合には、取得手段により出力されたプロキシデータと、第２の生成手段により生成された本線同等データとを選択し、記録手段に出力する選択手段とを備えることを特徴とする。
【００１２】
取得手段においてプロキシデータが取得された場合、本線同等データに関する情報である第１のメタデータを生成し、記録手段に出力する第３の生成手段をさらに設けることができる。
【００１３】
取得手段には、本線データに関する情報である第２のメタデータも取得させ、取得手段が第２のメタデータを取得した場合、データ記録媒体に記録されている第１のメタデータが、第２のメタデータに置き換えられるようにすることができる。
【００１４】
第２のメタデータは、本線データと同時に読み出される必要のないノンリアルタイムメタデータであるようにさせることができる。
【００１５】
取得手段は、所定の通信路を介して所定の伝送フォーマットで送信されてくる、本線データか、またはプロキシデータのいずれか一方を取得し、選択手段により選択された本線データおよびプロキシデータか、または、プロキシデータおよび本線同等データを、伝送フォーマットからデータ記録媒体に記録するときの記録フォーマットに変換する変換手段をさらに設けることができる。
【００１６】
本発明の情報処理方法は、画像または音声のデータである本線データか、または本線データよりデータ量が少ないデータであるプロキシデータのいずれか一方を取得し、出力する取得ステップと、取得ステップにおいて本線データが取得された場合、本線データからプロキシデータを生成する第１の生成ステップと、取得ステップにおいてプロキシデータが取得された場合、本線データの代替となる本線同等データを、プロキシデータから生成する第２の生成ステップと、取得ステップにおいて本線データが取得された場合には、取得ステップの処理により出力された本線データと、第１の生成ステップの処理により生成されたプロキシデータとを選択し、取得ステップにおいてプロキシデータが取得された場合には、取得ステップの処理により出力されたプロキシデータと、第２の生成ステップの処理により生成された本線同等データとを選択し、記録手段に出力する選択ステップとを含むことを特徴とする。
【００１７】
本発明の記録媒体に記録されているプログラムは、画像または音声のデータである本線データか、または本線データよりデータ量が少ないデータであるプロキシデータのいずれか一方を取得し、出力する取得ステップと、取得ステップにおいて本線データが取得された場合、本線データからプロキシデータを生成する第１の生成ステップと、取得ステップにおいてプロキシデータが取得された場合、本線データの代替となる本線同等データを、プロキシデータから生成する第２の生成ステップと、取得ステップにおいて本線データが取得された場合には、取得ステップの処理により出力された本線データと、第１の生成ステップの処理により生成されたプロキシデータとを選択し、取得ステップにおいてプロキシデータが取得された場合には、取得ステップの処理により出力されたプロキシデータと、第２の生成ステップの処理により生成された本線同等データとを選択し、記録手段に出力する選択ステップとを含むことを特徴とする。
【００１８】
本発明のプログラムは、画像または音声のデータである本線データか、または本線データよりデータ量が少ないデータであるプロキシデータのいずれか一方を取得し、出力する取得ステップと、取得ステップにおいて本線データが取得された場合、本線データからプロキシデータを生成する第１の生成ステップと、取得ステップにおいてプロキシデータが取得された場合、本線データの代替となる本線同等データを、プロキシデータから生成する第２の生成ステップと、取得ステップにおいて本線データが取得された場合には、取得ステップの処理により出力された本線データと、第１の生成ステップの処理により生成されたプロキシデータとを選択し、取得ステップにおいてプロキシデータが取得された場合には、取得ステップの処理により出力されたプロキシデータと、第２の生成ステップの処理により生成された本線同等データとを選択し、記録手段に出力する選択ステップとを含むことを特徴とする。
【００１９】
本発明においては、画像または音声のデータである本線データか、または本線データよりデータ量が少ないデータであるプロキシデータのいずれか一方が取得され、出力される。本線データが取得された場合、本線データからプロキシデータが生成され、プロキシデータが取得された場合、本線データの代替となる本線同等データが、プロキシデータから生成される。また、本線データが取得された場合には、本線データとプロキシデータとが選択され、プロキシデータが取得された場合には、プロキシデータと本線同等データとが選択され、記録手段に出力される。
【発明の効果】
【００２０】
本発明によれば、データ量の少ないプロキシデータしか得ることができない場合に、そのプロキシデータから、本線データと同等のデータを生成することができる。
【発明を実施するための最良の形態】
【００２１】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２２】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００２３】
請求項１に記載の情報処理装置は、
データ記録媒体にデータを記録する記録手段に、画像または音声の前記データを出力する情報処理装置（例えば、図１のディスク装置１４）において、
前記画像または音声のデータである本線データか、または前記本線データよりデータ量が少ない前記データであるプロキシデータのいずれか一方を取得し、出力する取得手段（例えば、図１０の要素抽出部４１）と、
前記取得手段において前記本線データが取得された場合、前記本線データから前記プロキシデータを生成する第１の生成手段（例えば、図１０のIMXデコーダ４２、画素間引き部４３、MPEG4エンコーダ４４など）と、
前記取得手段において前記プロキシデータが取得された場合、前記本線データの代替となる本線同等データを、前記プロキシデータから生成する第２の生成手段（例えば、図１０のMPEG4エンコーダ４５、画素補間部４６、IMXエンコーダ４７など）と、
前記取得手段において前記本線データが取得された場合には、前記取得手段により出力された前記本線データと、前記第１の生成手段により生成された前記プロキシデータとを選択し、前記取得手段において前記プロキシデータが取得された場合には、前記取得手段により出力された前記プロキシデータと、前記第２の生成手段により生成された前記本線同等データとを選択し、前記記録手段に出力する選択手段（例えば、図１０のスイッチ５０乃至５３）と
を備えることを特徴とする。
【００２４】
請求項２に記載の情報処理装置は、
前記取得手段において前記プロキシデータが取得された場合、前記本線同等データに関する情報である第１のメタデータを生成し、前記記録手段に出力する第３の生成手段（例えば、図１０のNRTメタデータファイル生成部５５）をさらに備える
ことを特徴とする。
【００２５】
請求項５に記載の情報処理装置は、
前記取得手段は、所定の通信路を介して所定の伝送フォーマットで送信されてくる、前記本線データか、または前記プロキシデータのいずれか一方を取得し、
前記選択手段により選択された前記本線データおよび前記プロキシデータか、または、前記プロキシデータおよび前記本線同等データを、前記伝送フォーマットから前記データ記録媒体に記録するときの記録フォーマットに変換する変換手段（例えば、図１０のデータ変換部５４）をさらに備える
ことを特徴とする。
【００２６】
請求項６に記載の情報処理方法は、
データ記録媒体にデータを記録する記録手段に、画像または音声の前記データを出力する情報処理装置の情報処理方法において、
前記画像または音声のデータである本線データか、または前記本線データよりデータ量が少ない前記データであるプロキシデータのいずれか一方を取得し、出力する取得ステップ（例えば、図１２のステップＳ１４の処理）と、
前記取得ステップにおいて前記本線データが取得された場合、前記本線データから前記プロキシデータを生成する第１の生成ステップ（例えば、図１２のステップＳ１５乃至Ｓ１７の処理）と、
前記取得ステップにおいて前記プロキシデータが取得された場合、前記本線データの代替となる本線同等データを、前記プロキシデータから生成する第２の生成ステップ（例えば、図１２のステップＳ２３乃至Ｓ２５の処理）と、
前記取得ステップにおいて前記本線データが取得された場合には、前記取得ステップの処理により出力された前記本線データと、前記第１の生成ステップの処理により生成された前記プロキシデータとを選択し、前記取得ステップにおいて前記プロキシデータが取得された場合には、前記取得ステップの処理により出力された前記プロキシデータと、前記第２の生成ステップの処理により生成された前記本線同等データとを選択し、前記記録手段に出力する選択ステップ（例えば、図１２のステップＳ１３の処理）と
を含むことを特徴とする。
【００２７】
請求項７に記載の記録媒体のプログラム、請求項８に記載のプログラムの各ステップの具体例も、請求項６に記載の情報処理方法の各ステップの発明の実施の形態における具体例と同様である。
【００２８】
以下、図を参照して、本発明の実施の形態について説明する。
【００２９】
図１は、本発明を適用したAV（Audio/Video）ネットワークシステム（システムとは、複数の装置が論理的に集合した物をいい、各構成の装置が同一筐体中にあるか否かは問わない）の一実施の形態の構成例を示している。
【００３０】
映像記録装置１１には、例えば、Blu-ray Disk（商標），DVD-RAM（Digital Versatile Disc - Random Access Memory），DVD-R（DVD - Recordable），DVD-RW（DVD - ReWritable），DVD+R（DVD + Recordable），DVD＋RW（DVD + ReWritable），CD-R（Compact Disc - Recordable），またはCD-RW（CD - ReWritable）等の光ディスク１２を着脱することができるようになっている。映像記録装置１１は、例えば、ビデオカメラであり、被写体を撮影し、その結果得られる被写体の画像のデータ（ビデオデータ）、および集音した音声のデータ（オーディオデータ）を、所定のディスク記録フォーマットのファイルとして光ディスク１２に記録する。
【００３１】
すなわち、光ディスク１２には、図２に示すように、本線ビデオオーディオデータ（以下、本線データという）、プロキシビデオオーディオデータ（以下、プロキシデータという）、RT(Real Time)メタデータ、NRT(Non Real Time)メタデータなどが記録される。
【００３２】
ここで、本線データは、映像記録装置１１で撮像された映像（音声も含む）のオリジナルのデータであり、データ量は大きいが高画質（高解像度）のビデオデータ（本線のビデオデータ）や高音質のオーディオデータ（本線のオーディオデータ）である。プロキシデータは、本線のビデオデータとオーディオデータのそれぞれを、例えば、フレームの画素数を少なくしたり、音声の周波数帯域を狭くしたり、サンプル数を少なくするなどして、データ量を少なくした、ビデオデータ（プロキシビデオデータ）とオーディオデータ（プロキシオーディオデータ）である。RTメタデータは、ビデオデータまたはオーディオデータに関するデータであって、読み込み処理においてリアルタイム性が要求される内容のデータである。NRTメタデータは、ビデオデータまたはオーディオデータに関するデータであって、読み込み処理においてリアルタイム性が要求されない（本線データと同時に読み出される必要のない）内容のデータである。
【００３３】
なお、映像記録装置１１で撮像された映像を、本線のビデオデータとして記録する場合の符号化方式としては、例えば、D10と呼ばれるMPEG(Moving Picture Experts Group) IMX方式が採用される。また、映像記録装置１１で集音された音声を、本線のオーディオデータとして記録する場合の符号化方式としては、例えば、AES(Audio Engineering Society)3方式が採用される。また、映像記録装置１１で撮像された映像から、プロキシビデオデータを得るための符号化方式としては、例えばMPEG4(Moving Picture Experts Group 4）方式が採用される。また、映像記録装置１１で集音された音声から、プロキシオーディオデータを得るための符号化方式としては、例えばITU-T（International Telecommunication Union, Telecommunication Standardization Sector） G.711 A-Law方式が採用される。また、以下において、本線データ、プロキシデータ、RTメタデータ、およびNRTメタデータを総称してAVデータと称する。
【００３４】
また、RTメタデータとしては、例えば、フレームの位置を時、分、秒等の所定の時間情報を利用して特定するLTC（Linear Time Code）、各フレームのフレーム番号であり、ファイルの先頭フレームからの相対的な位置情報であるFTC（File Time Code）、そのフレームのビデオデータ（画像信号）の信号特性を示すユーザビット（UB：User Bit）、ビデオカメラによる撮像が行われた位置を表すGPS(Global Positioning System)の情報、ビデオデータやオーディオデータ等のエッセンスデータの内容に関する情報であるエッセンスマーク、ARIB(Association of Radio Industries and Businesses)メタデータ、撮像が行われたビデオカメラの設定／制御情報などがある。なお、ARIBメタデータとは、標準化団体であるARIBで標準化された、SDI(Serial Digital Interface)等の通信インタフェース用のメタデータである。また、ビデオカメラの設定／制御情報とは、例えば、IRIS（アイリス）制御値や、ホワイトバランス／ブラックバランスのモード、レンズのズームやフォーカスに関するレンズ情報等の情報である。
【００３５】
NRTメタデータとしては、例えば、撮像が行われた日時（年、月、日、時、分、秒）、各フレームに対応するLTCをフレーム番号（FTC）に対応させた変換テーブル、クリップをグローバルユニークに識別するための固有の識別子であるUMID(Unique Material Identifier)、またはGPSの情報などがある。なお、フレームとは、ビデオデータの単位であり、１画面分の画像に対応するビデオデータ（または、そのビデオデータに対応する各種のデータ）のことである。また、クリップとは、撮影者が撮像を開始して終了（一時停止）するまでの１回の撮像処理を示す単位である。すなわち、１つのクリップのビデオデータは、通常、複数のフレームのビデオデータからなる。
【００３６】
このようなRTメタデータおよびNRTメタデータは、どのような単位のビデオデータに対して付加されてもよい。以下においては、RTメタデータがフレーム毎にビデオデータに付加され、NRTメタデータがクリップ毎にビデオデータに付加される場合について説明する。
【００３７】
図１に戻り、ディスク装置１４は、そこに装着された光ディスク（光ディスク１５）に記録された本線データとプロキシデータを用いて、放送用の映像の編集や放送を行う装置である。例えば、ディスク装置１４において、編集者が記録媒体に記録された映像のプロキシ編集を行う場合には、データ量が少なく、データの読み出し等が簡易なプロキシデータが使用される。プロキシ編集とは、例えば、プロキシデータを素材として、撮影された映像シーンの中から、放送に必要なシーンを選択し、その選択されたシーンにIN点およびOUT点を設定する作業などである。設定されたIN点およびOUT点は、エディットリストとして記録される。そして、放送時には、ディスク装置１４は、エディットリスト（プロキシ編集により設定されたIN点およびOUT点）に基づいて、必要なシーンの映像および音声を、光ディスク１５に記録された本線データから抽出し、出力する（放送する）。
【００３８】
従って、ディスク装置１４が放送用の編集や放送を行うためには、ディスク装置１４に装着された光ディスクに、本線データとプロキシデータの両方が記録されている必要がある。
【００３９】
映像記録装置１１で撮影して得られたAVデータを使用（放送）するまでの時間に余裕がある場合には、ディスク装置１４が設置されている場所から離れた遠隔地において、撮影を行った撮影者が、撮影して得られたAVデータが記録されている光ディスク１２をディスク装置１４が設置されている場所に持参すればよい。また、撮影して得られたAVデータを使用（放送）するまでの時間に余裕がある場合には、光ディスク１２に記録された本線データを、ネットワーク１３を介してディスク装置１４に送信することもできる。
【００４０】
一方、映像記録装置１１で撮影した映像を緊急に放送する場合など、映像記録装置１１で撮像して得られたAVデータを使用するまでの時間に余裕がない場合には、撮影者は、映像記録装置１１から、データ量が少なくて比較的短時間で送信することが可能なプロキシデータを、ネットワーク１３を介してディスク装置１４に送信する。しかしながら、送信されてくるプロキシデータを光ディスク１５に記録させるだけでは、その後の放送用の編集や放送に必要な、本線データとプロキシデータの両方が揃うことにならないため、ディスク装置１４は、プロキシデータが送信されてきた場合には、本線データの代替となる本線同等データを生成し、プロキシデータとともに光ディスク１５に記録させる。
【００４１】
即ち、ディスク装置１４には、映像記録装置１１から、本線データが送信されてくる場合とプロキシデータが送信されてくる場合とがある。また、先に送信されたプロキシデータに対応するNRTメタデータのみが、映像記録装置１１からディスク装置１４に送信されてくる場合もある。
【００４２】
なお、映像記録装置１１は、ネットワーク１３を介してディスク装置１４にビデオデータおよびオーディオデータを送信する場合、光ディスク１２に記録されているディスク記録フォーマットのファイルを、標準AV多重フォーマット（伝送フォーマット）のファイルに変換してから送信する。この標準AV多重フォーマットとしては、例えば、MXF(Material eXchange Format)がある。MXFは、例えば、異なる機種やメーカの放送機器どうしの間のファイル交換に加えて、ストリーミングを考慮したフォーマットであり、ビデオデータとオーディオデータがフレームごと等の細かい単位で多重化されているフォーマットである。
【００４３】
また、映像記録装置１１からディスク装置１４にNRTメタデータのみを送信する場合には、NRTメタデータはXML形式のファイルとして送信される。
【００４４】
映像記録装置１１からディスク装置１４に、MXFのファイルで本線データを送信する場合、そのMXFのファイルには、RTメタデータとNRTメタデータも格納することができる。従って、本線データが格納されたMXFのファイル（以下、適宜、本線データのMXFファイルという）を受信したディスク装置１４は、受信したファイルから、本線データ、RTメタデータ、およびNRTメタデータを抽出し、本線データからプロキシデータを生成して、光ディスク１５に記録させる。
【００４５】
即ち、通信I/F２１は、例えば、IEEE(Institute of Electrical and Electronics Engineers)1394ポートや、USB(Universal Serial Bus)ポート、LAN(Local Area Network)接続用のNIC(Network Interface Card)、あるいは、アナログモデムや、TA(Terminal Adapter)およびDSU(Digital Service Unit)、ADSL(Asymmetric Digital Subscriber Line)モデム等で構成され、例えば、インターネットやイントラネット等のネットワーク１３を介して、映像記録装置１１と標準AV多重フォーマット（いまの場合、MXF）のファイルをやりとりする。具体的には、通信I/F２１は、ネットワーク１３を介して映像記録装置１１から送信されてくる本線データのMXFファイルを受信して、バッファメモリ２２に供給する。また、通信部I/F２１は、通信衛星や無線通信を介しても、映像記録装置１１と標準AV多重フォーマットのファイルをやりとりする。
【００４６】
バッファメモリ２２は、通信I/F２１から供給される本線データのMXFファイルを一時蓄積し、所定単位（例えば、ファイル単位）のデータが蓄積されたところで、データ生成変換部２３に供給する
【００４７】
データ生成変換部２３は、バッファメモリ２３から供給される、本線データのMXFファイルから、本線データ、RTメタデータおよびNRTメタデータを抽出するとともに、本線データからプロキシデータを生成する。そして、データ生成変換部２３は、抽出または生成された本線データ、プロキシデータ、RTメタデータおよびNRTメタデータを、ディスク記録フォーマットのファイルに変換して、ディスクドライブ装置２４に供給する。
【００４８】
ディスクドライブ装置２４には、光ディスク１５を着脱することができるようになっている。ディスクドライブ装置２４は、データ生成変換部２３から供給される、ディスク記録フォーマットのファイル（本線データ、プロキシデータ、RTメタデータおよびNRTメタデータのファイル）を光ディスク１５に記録する（書き込む）。
【００４９】
これにより、光ディスク１２と同一のデータが、光ディスク１５に記録される。
【００５０】
また、映像記録装置１１からディスク装置１４に、MXFのファイルでプロキシデータを送信する場合、そのMXFのファイルには、RTメタデータも格納することができる。従って、プロキシデータが格納されたMXFのファイル（以下、適宜、プロキシデータのMXFファイルという）を受信したディスク装置１４は、受信したファイルから、プロキシデータおよびRTメタデータを抽出する。また、ディスク装置１４は、受信して得られたプロキシデータから、本線データの代替となる本線同等データを生成するとともに、デフォルトのNRTメタデータも生成する。そして、ディスク装置１５は、抽出されたプロキシデータおよびRTメタデータ、並びに、生成された本線同等データおよびデフォルトのNRTメタデータを光ディスク１５に記録させる。
【００５１】
即ち、通信I/F２１は、ネットワーク１３を介して映像記録装置１１から送信されてくるプロキシデータのMXFファイルを受信して、バッファメモリ２２に供給する。バッファメモリ２２は、通信I/F２１から供給されるプロキシデータのMXFファイルを一時蓄積し、所定単位（例えば、ファイル単位）のデータが蓄積されたところで、データ生成変換部２３に供給する
【００５２】
データ生成変換部２３には、バッファメモリ２３から、プロキシデータのMXFファイルが供給される。データ生成変換部２３は、プロキシデータのMXFファイルから、プロキシデータおよびRTメタデータを抽出するとともに、本線同等データおよびデフォルトのNRTメタデータを生成する。そして、データ生成変換部２３は、抽出または生成された本線同等データ、プロキシデータ、RTメタデータおよびデフォルトのNRTメタデータを、ディスク記録フォーマットのファイルに変換して、ディスクドライブ装置２４に供給する。
【００５３】
ディスクドライブ装置２４は、データ生成変換部２３から供給される、ディスク記録フォーマットのファイル（本線同等データ、プロキシデータ、RTメタデータおよびデフォルトのNRTメタデータのファイル）を光ディスク１５に記録する（書き込む）。
【００５４】
これにより、ディスク装置１４は、光ディスク１２と同等の（同一構成の）データを光ディスク１５に記録させることができる。
【００５５】
また、映像記録装置１１からディスク装置１４に、NRTメタデータのみが格納されたファイル（以下、適宜、単独NRTメタデータのファイルという）が送信されてきた場合、そのファイルを受信したディスク装置１４は、受信したファイルからNRTメタデータを抽出し、先に送信されたプロキシデータのMXFファイルで生成されたデフォルトのNRTメタデータを、抽出した本来のNRTメタデータに置き換える。
【００５６】
即ち、通信I/F２１は、ネットワーク１３を介して映像記録装置１１から送信されてくる単独NRTメタデータのファイルを受信して、バッファメモリ２２に供給する。バッファメモリ２２は、通信I/F２１から供給される単独NRTメタデータのファイルを一時蓄積し、所定単位（例えば、ファイル単位）のデータが蓄積されたところで、データ生成変換部２３に供給する
【００５７】
データ生成変換部２３は、単独NRTメタデータのファイルからNRTメタデータを抽出し、ディスクドライブ装置２４に供給する。
【００５８】
ディスクドライブ装置２４は、データ生成変換部２３から供給される、ディスク記録フォーマットのファイル（NRTメタデータのファイル）を光ディスク１５に記録する（書き込む）。
【００５９】
なお、制御部２５は、データ生成変換部２３およびディスクドライブ装置２４を制御する。例えば、制御部２５は、データ生成変換部２３を制御して、本線データやプロキシデータをディスクドライブ装置２４に供給させたり、ディスクドライブ装置２４に、本線データやプロキシデータなどの光ディスク１５への記録または再生を指令する。
【００６０】
以上のように構成されるディスク装置１４では、ネットワーク１３を介して映像記録装置１１から送信されてくる標準AV多重フォーマットのファイル（本線データのMXFファイル、プロキシデータのMXFファイル、または単独NRTメタデータのファイル）が受信され、データ生成変換部２３に供給される。データ生成変換部２３は、本線（同等）データ、プロキシデータ、RTメタデータ、またはNRTメタデータ（デフォルトのNRTメタデータ）を生成または抽出し、さらに、ディスク記録フォーマットに変換して、ディスクドライブ装置２４に供給する。そして、ディスクドライブ装置２４は、ディスク記録フォーマットのファイルとしての、本線（同等）データ、プロキシデータ、RTメタデータ、またはNRTメタデータ（デフォルトのNRTメタデータ）を、そこに装着された光ディスク１５に記録する。
【００６１】
図３乃至図５を参照して、光ディスク１２に記録されているデータのフォーマット（ディスク記録フォーマット）について説明する。なお、光ディスク１５に記録されているデータのフォーマットも、光ディスク１２に記録されているデータのフォーマットと同様である。
【００６２】
光ディスク１２に記録されたデータは、例えば、UDF（Universal Disk Format）やISO9660（International Organization for Standardization 9660）等のファイルシステムにより管理され、ユーザからは、図３に示すディレクトリ構造およびファイルとして見えるようになされている。
【００６３】
即ち、図３は、光ディスク１２に記録されているデータのディレクトリ（フォルダ）、およびファイルの構造の例を示す図である。
【００６４】
図３に示されるように、ROOTディレクトリには、１つのプログラムに対応するビデオデータを格納するPROAVディレクトリ、および、PROAVディレクトリのデータのメタデータを格納する構成表データファイルが格納されている。
【００６５】
PROAVディレクトリには、インデックスファイル（INDEX.XML）、インデックスファイルがコピーされたファイル（INDEX.RSV）、ディスク情報ファイル（DISCINFO.XML）、ディスク情報ファイルがコピーされたファイル（DISCINFO.RSV）が格納されている。
【００６６】
インデックスファイルは、光ディスク１２に記録されたファイルの情報を一元管理するファイルであり、例えば、XML(eXtensible Markup Language)ベースの言語で記述されている。インデックスファイルには、光ディスク１２に記録されたクリップそれぞれに関する情報が格納されている。このクリップに関する情報としては、例えば、クリップをグローバルユニークに識別するための固有の識別子であるUMIDなどがある。ディスク情報ファイルは、光ディスク１２の属性、再生開始位置などを記述するファイルである。
【００６７】
PROAVディレクトリには、また、クリップディレクトリ（CLPR）およびエディトディレクトリ（EDTR）が格納されている。
【００６８】
クリップディレクトリには、それぞれのクリップに対応するディレクトリが格納される。図３では、３つのクリップに対応する、「C0001」のディレクトリ、「C0002」のディレクトリ、および「C0003」のディレクトリがクリップディレクトリ内に存在している。エディトディレクトリには、映像データおよび音声データの再生順序、および再生範囲を示すエディトリストのデータが格納されている。このエディトリストには、上述したように、クリップに対して設定された、IN点およびOUT点の位置を表す情報が記述される。
【００６９】
図４は、クリップディレクトリ（図３の、名前が「C0001」のディレクトリ）に格納されているファイルの例を示す図である。なお、図４において、ファイルの右方に付されているかっこ書きは、そのファイルの内容を示すものであり、ファイル名には含まれない。
【００７０】
クリップディレクトリの先頭に示される、「C0001C01.SMI」の名前が設定されたファイルは、１セットの独立したマルチメディアオブジェクト（映像または音声のオブジェクト）の時間的な挙動、画面上のレイアウト、または他のマルチメディアオブジェクトとの結び付きを、例えば、SMIL(Synchronized Multimedia Integration Language)で記述するファイルである。
【００７１】
「C0001V01.MXF」の名前が設定されたファイルは、本線のビデオデータを格納するファイルである。
【００７２】
「C0001A01.MXF」乃至「C0001A08.MXF」の名前が設定されたファイルは、本線のオーディオデータを格納するファイルである。それぞれのファイルに１チャンネル分のオーディオデータが記録されている。
【００７３】
なお、光ディスク１５に本線同等データが記録される場合も、上述の本線のビデオデータおよび本線のオーディオデータと同様に記録される。
【００７４】
「C0001S01.MXF」の名前が設定されたファイルは、プロキシビデオデータを格納するファイルである。すなわち、ここに格納されているプロキシビデオデータは、「C001V01.MXF」の名前が設定されているファイルに格納されている本線のビデオデータのデータ量を少なくしたデータである。
【００７５】
「C0001M01.XML」の名前が設定されたファイルは、このクリップ（「C0001」のクリップ）に対して付加されたNRTメタデータ（クリップメタデータ）を格納する、XMLベースの言語で記述されるファイル（NRTメタデータファイル）である。
【００７６】
「C0001R01.BIM」の名前が設定されたファイルは、このクリップの各フレームに対して設定されたRTメタデータ（フレームメタデータ）を格納するファイル（RTメタデータファイル）である。この例においては、フレームメタデータは、XML形式のファイルをバイナリ変換したBIM（binary format for metadata）方式で記述されている。
【００７７】
「C0001I01.PPF」の名前が設定されたファイルは、フレーム構造に関する情報が記述されるファイルである。
【００７８】
図５は、オーディオデータやビデオデータが記録された光ディスク１２のトラックを模式的に示している。なお、図５において、オーディオデータの記録部分は、影を付して示されており、ビデオデータの記録部分は、特に模様を付さずに示されている。
【００７９】
光ディスク１２では、螺旋状または同心円状に、その内周側から外周側の方向に、データが記録されていく。より詳しくは、光ディスク１２において、同一の時刻に再生される本線のオーディオデータおよびビデオデータ、並びに、それらに対応するプロキシデータおよびRTメタデータからなる所定の再生時間帯（いまの場合、２秒間）のリアルタイムデータが、撮像して得られた順番に記録されていく。そして、１クリップ分記録された複数の所定の再生時間帯のリアルタイムデータに続いて、リアルタイム性が要求されないNRTメタデータが記録される。
【００８０】
この場合、図５に示すように、光ディスク１２には、木の年輪を形成するかのように、同じような所定の再生時間帯（例えば、２秒間）の本線のビデオデータとオーディオデータとが交互に記録されることから、光ディスク１２に記録されるリアルタイムデータのひとまとまりを、「年輪」と称し、所定の再生時間帯を、「年輪長」と称する。なお、図５では、簡略化のため、プロキシデータ、RTメタデータ、およびNRTメタデータの図示は省略されている。
【００８１】
このように、光ディスク１２においては、同一時刻に再生される年輪長（いまの場合、２秒間）のオーディオデータとビデオデータが光ディスク１２上の近い位置に記録されるので、光ディスク１２から、同一時刻に再生されるオーディオデータとビデオデータを、迅速に読み出して再生することが可能となる。光ディスク１５も同様である。
【００８２】
次に、映像記録装置１１で撮影されたAVデータがネットワーク１３上を伝送する場合のフォーマットである、標準AV多重フォーマットについて説明する。
【００８３】
図６は、本線データのMXFファイルの例を示している。
【００８４】
MXFのファイルは、その先頭から、ヘッダ(File Header)、ボディ(File Body)、フッタ(File Footer)が順次配置されて構成される。
【００８５】
ヘッダには、その先頭から、ヘッダパーティションパック(Header Partition Pack)、ヘッダメタデータ(Header Metadata)、インデックステーブル(Index Table)が順次配置される。ヘッダパーティションパックには、ヘッダを特定するためのデータや、ボディに配置されるデータの形式、ファイルのフォーマットを表す情報などが配置される。ヘッダメタデータには、例えば、ファイルの作成日や、ボディに配置されたデータに関する情報などのファイル（クリップ）単位のメタデータ（NRTメタデータ）が配置される。インデックステーブルには、ボディに配置される、後述するエディットユニットの位置を表すテーブルが配置される。
【００８６】
また、インデックステーブルは、オプションであり、ヘッダに含めても、含めなくても良い。また、ヘッダには、インデックステーブルの他、種々のオプションのデータを配置することができる。
【００８７】
フッタは、フッタパーティションパック(Footer Partition Pack)で構成され、フッタパーティションパックには、フッタを特定するためのデータなどが配置される。
【００８８】
ボディは、１以上のエディットユニット(Edit Unit)で構成される。エディットユニットは、１フレームの単位であり、そこには、１フレーム分のAVデータその他が配置される。
【００８９】
即ち、エディットユニットは、その先頭から、システムアイテム(Sytem Item)、ピクチャアイテム(Picture Item)、サウンドアイテム(Sound Item)、オグジュアリアイテム(Auxiliary Item)が配置されて構成される。
【００９０】
システムアイテムには、その後段のピクチャアイテムに配置されるビデオデータのフレームについてのメタデータ（RTメタデータ）が配置される。ここで、RTメタデータとしては、例えば、LTCなどがある。
【００９１】
ピクチャアイテムには、１フレーム分のビデオデータが配置される。図６では、上述したD10形式のビデオデータが配置される。
【００９２】
ここで、ピクチャアイテムには、１フレームのビデオデータがKLV(Key,Length,Value)構造にKLVコーディングされて配置される。
【００９３】
KLV構造とは、その先頭から、キー(Key)、レングス(Length)、バリュー(Value)が順次配置された構造であり、キーには、バリューに配置されるデータがどのようなデータであるかを表す、SMPTE 298Mの規格に準拠した１６バイトのラベルが配置される。レングスには、バリューに配置されるデータのデータ長が配置される。バリューには、実データ、即ち、ここでは、１フレームのビデオデータが配置される。
【００９４】
また、ピクチャアイテムは、そのデータ長が、KAG(KLV Alignment Grid)を基準とする固定長となっている。そして、ピクチャアイテムを固定長とするのに、スタッフィング(stuffing)のためのデータとしてのフィラー(Filler)が、やはりKLV構造とされて、ピクチャアイテムのビデオデータの後に配置される。
【００９５】
なお、ピクチャアイテムのデータ長であるKAGを基準とする固定長は、例えば、光ディスク１２のセクタ長の整数倍（例えば、５１２バイトや２Ｋバイトなど）とされている。この場合、光ディスク１２とピクチャアイテムとの、いわば親和性が高くなり、光ディスク１２に対するピクチャアイテムの読み書き処理の高速化を図ることができる。
【００９６】
また、上述のシステムアイテム、並びに後述するサウンドアイテムおよびオグジュアリアイテムにおいても、ピクチャアイテムと同様に、KLV構造が採用されているとともに、そのデータ長がKAGを基準とする固定長になっている。
【００９７】
サウンドアイテムには、ピクチャアイテムに配置されたビデオデータのフレームにおける１フレーム分のオーディオデータが、上述のピクチャアイテムにおける場合と同様にKLV構造で配置される。
【００９８】
また、サウンドアイテムには、複数としての、例えば８チャネルのオーディオデータが多重化されて配置される。
【００９９】
即ち、サウンドアイテムにおいて、KLV構造のバリューには、その先頭から、エレメントヘッダEH(Element Header)、オーディオサンプルカウントASC(Audio Sample Count)、ストリームバリッドフラグSVF(Stream Valid Flags)、多重化された８チャネルのオーディオデータが順次配置される。
【０１００】
ここで、サウンドアイテムにおいて、８チャネルのオーディオデータは、１フレームにおける８チャネルそれぞれのオーディオデータの第１サンプル、第２サンプル、・・・といった順番に、オーディオデータのサンプルが配置されることにより多重化されている。図６の最下部に示したオーディオデータにおいて、括弧付きで示してある数字は、オーディオデータのサンプルが何サンプル目かを表している。
【０１０１】
また、エレメントヘッダEHには、そのエレメントヘッダを特定するためのデータなどが配置される。オーディオサンプルカウントASCには、サウンドアイテムに配置されているオーディオデータのサンプル数が配置される。ストリームバリッドフラグSVFは、８ビット（１バイト）のフラグで、各ビットは、そのビットに対応するチャネルのオーディオデータが有効か、無効かを表す。即ち、ストリームバリッドフラグSVFの各ビットは、そのビットに対応するチャネルのオーディオデータが有効である場合に、例えば１とされ、無効である場合に、例えば０とされる。
【０１０２】
オグジュアリアイテムには、必要なユーザデータが配置される。従って、オグジュアリアイテムは、ユーザが任意のデータを配置することができるエリアである。
【０１０３】
以上のように、本線データのMXFファイルでは、フレーム単位のメタデータ（RTメタデータ）が配置されるシステムアイテム、ビデオデータが配置されるピクチャアイテム、オーディオデータが配置されるサウンドアイテム、ユーザデータが配置されるオグジュアリアイテムが、１フレーム単位で多重化されており、さらに、サウンドアイテムでは、８チャネルのオーディオデータが、１サンプル単位で多重化されている。
【０１０４】
このため、ビデオデータとオーディオデータが、別々にまとめて配置されているファイルでは、そのまとまったビデオデータのファイルとオーディオデータのファイルをすべて受信してからでないと、そのビデオデータおよびオーディオデータの再生を開始することができないが、MXFのファイル（標準AV多重フォーマットのファイル）では、ビデオデータとオーディオデータとがフレーム単位で多重化されているため、１フレーム分のビデオデータとオーディオデータを受信すれば、そのフレームのビデオデータおよびオーディオデータを、即座に再生することができる。従って、MXFのファイル（MXFファイル）は、ストリーミングに適しているということができる。
【０１０５】
図７は、MXFのファイルにプロキシデータが格納される場合の、ボディを構成する１つのエディットユニットの構成を示す図である。なお、MXFのファイルにプロキシデータが格納される場合のヘッダおよびフッタは、そこにNRTメタデータが格納されていない点を除いて本線データにおける場合と同様であるので説明を省略する。
【０１０６】
プロキシデータが格納される場合のエディットユニットは、その先頭から、システムアイテム(Sytem Item)、ピクチャアイテム（ピクチャエッセンス（picture essence））、サウンドアイテム（サウンドエッセンス（sound essence））が配置されて構成される。なお、システムアイテムとピクチャエッセンスとの間には、フィルアイテムが配置されている。ピクチャアイテム（ピクチャエッセンス）の詳細な構成については、図８を参照して説明し、サウンドアイテム（サウンドエッセンス）の詳細な構成については、図９を参照して説明する。
【０１０７】
図８は、図７のピクチャエッセンスの詳細な構成例を示す図である。
【０１０８】
ピクチャエッセンスには、KLV構造を有するMPEG4エレメンタリストリーム方式のビデオデータが配置される。すなわち、総走査線数/フレームレートが525/60（59.94）であるビデオデータの場合、フレームレートが24（23.97）のプログレッシブスキャン画像であるビデオデータの場合、またはフレームレートが60（59.94）のプログレッシブスキャン画像であるビデオデータの場合、１つのエディットユニットのピクチャエッセンスには、６つのGOV（Group of VideoObjectPlane）が配置される。一方、総走査線数/フレームレートが625/50であるビデオデータの場合、１つのエディットユニットのピクチャエッセンスには、５つのGOVが配置される。１つのGOVに先頭には、フレーム内符号化されたI-VOP（Intra Video Object Plane）が配置され、その後ろには、所定の数のフレーム間順方向予測符号化されたP-VOP（Predicted Video Object Plane）が配置される。
【０１０９】
図９は、図７のサウンドエッセンスの詳細な構成例を示す図である。
【０１１０】
サウンドエッセンスには、２チャンネルの、ITU-T G.711の規格に基づいた方式（A-Law方式）のオーディオデータが配置される。サウンドエッセンスは、４つに分割され、それぞれに、KLV構造となされているデータが、KLV構造となされているフィラーとともに配置されている。
【０１１１】
バリューには、２チャンネルのサンプルが交互に配置される。総走査線数/フレームレートが525/60（59.94）であるピクチャエッセンスに対するサウンドエッセンスの場合、フレームレートが24（23.97）のプログレッシブスキャン画像であるピクチャエッセンスに対するサウンドエッセンスの場合、またはフレームレートが60（59.94）のプログレッシブスキャン画像であるピクチャエッセンスに対するサウンドエッセンスの場合、サウンドエッセンスが４つに分割されたうちの１つには、16016のサンプルが配置される。一方、総走査線数/フレームレートが625/50であるピクチャエッセンスに対するサウンドエッセンスの場合、サウンドエッセンスが４つに分割されたうちの１つには、16000のサンプルが配置される。
【０１１２】
図１０は、データ生成変換部２３の詳細な構成例を示すブロック図である。
【０１１３】
要素抽出部４１には、本線データのMXFファイル、プロキシデータのMXFファイル、または単独NRTメタデータのファイルが、バッファメモリ２２から供給される。要素抽出部４１は、供給されたファイルに格納されている情報から、そのファイルに格納されているデータの種類を判別する。即ち、要素抽出部４１は、バッファメモリ２２から供給されたファイルが、本線データまたはプロキシデータのファイルか、若しくは、単独NRTメタデータのファイルかを判別する。
【０１１４】
そして、要素抽出部４１は、ファイルに格納されているビデオデータ、オーディオデータ、RTメタデータ、またはNRTメタデータを抽出し、対応する各部に供給する。
【０１１５】
即ち、要素抽出部４１は、MXFファイルのボディの各ピクチャアイテムから、本線のビデオデータを抽出した場合には、IMXデコーダ４２およびスイッチ５０の端子部５０ａに供給し、MXFファイルのボディの各サウンドアイテムから、本線のオーディオデータを抽出した場合には、A-Lawエンコーダ４８およびスイッチ５２の端子部５２ａに供給する。また、要素抽出部４１は、MXFファイルのボディの各ピクチャアイテムから、プロキシビデオデータを抽出した場合には、MPEG4デコーダ４５およびスイッチ５１の端子部５１ｂに供給し、MXFファイルのボディの各サウンドアイテムから、プロキシオーディオデータを抽出した場合には、A-Lawデコーダ４９およびスイッチ５３の端子部５３ｂに供給する。さらに、要素抽出部４１は、MXFファイルのボディの各システムアイテムから、RTメタデータを抽出した場合には、データ変換部５４に供給し、MXFファイルのヘッダのヘッダメタデータから、NRTメタデータを抽出した場合には、NRTメタデータファイル生成部５５に供給する。
【０１１６】
なお、制御部２５（図１）は、要素抽出部４１に、本線データのMXFファイル、プロキシデータのMXFファイル、または単独NRTメタデータのファイルのいずれが供給されたかを認識し、後述するスイッチ５０乃至５３およびNRTメタデータファイル生成部５５を制御する。
【０１１７】
IMXデコーダ４２は、要素抽出部４１からの、MPEG IMX方式で符号化されている本線のビデオデータを復号（デコード）し、画素間引き部４３に供給する。画素間引き部４３は、IMXデコーダ４２から供給された本線のビデオデータに対し、画像を構成する縦×横の画素数それぞれが、例えば、元の画素数から１／２となるように画素を間引く処理（間引き処理）を行い、処理後のビデオデータをMPEG4エンコーダ４４に供給する。MPEG４エンコーダ４４は、画素間引き部４３からのビデオデータをMPEG４方式により符号化（エンコード）し、スイッチ５１の端子部５１ａに供給する。従って、IMXデコーダ４２、画素間引き部４３、およびMPEG４エンコーダ４４により、本線のビデオデータからプロキシビデオデータが生成される。
【０１１８】
MPEG４デコーダ４５は、要素抽出部４１からの、MPEG４方式で符号化されているプロキシビデオデータを復号（デコード）し、画素補間部４６に供給する。画素補間部４６は、MPEG4デコーダ４５から供給されたプロキシビデオデータに対し、周辺の画素の画素値を用いて内挿する画素の画素値を求めるなどして、画像を構成する縦×横の画素数それぞれが、例えば、元の画素数の２倍となるように画素を補間する処理（画素補間処理）を行い、処理後のビデオデータをIMXエンコーダ４７に供給する。IMXエンコーダ４７は、画素補間部４６からのビデオデータをMPEG IMX方式により符号化（エンコード）し、スイッチ５０の端子部５０ｂに供給する。従って、MPEG４デコーダ４５、画素補間部４６、およびIMXエンコーダ４７により、プロキシビデオデータから本線同等ビデオデータが生成される。
【０１１９】
A-Lawエンコーダ４８は、要素抽出部４１からの、AES3形式の非圧縮のオーディオデータを、ITU-T G.711 A-Law方式により符号化（エンコード）し、スイッチ５３の端子部５３ａに供給する。従って、A-Lawエンコーダ４８により、本線オーディオデータからプロキシオーディオデータが生成される。
【０１２０】
A-Lawデコーダ４９は、要素抽出部４１からの、ITU-T G.711 A-Law方式により符号化されているプロキシオーディオデータを復号（デコード）し、スイッチ５２の端子部５２ｂに供給する。従って、A-Lawデコーダ４９から、本線同等オーディオデータが生成される。
【０１２１】
スイッチ５０は、制御部２５の制御に基づいて、２つの端子部５０aおよび５０ｂのうちのいずれか一方を選択する。スイッチ５１は、制御部２５の制御に基づいて、２つの端子部５１aおよび５１ｂのうちのいずれか一方を選択する。スイッチ５２は、制御部２５の制御に基づいて、２つの端子部５２aおよび５２ｂのうちのいずれか一方を選択する。スイッチ５３は、制御部２５の制御に基づいて、２つの端子部５３aおよび５３ｂのうちのいずれか一方を選択する。以下において、スイッチ５０乃至５３のそれぞれが、端子部５０ａ乃至５３ａを選択することを、ａ側端子部を選択するともいう。また、スイッチ５０乃至５３のそれぞれが、端子部５０ｂ乃至５３ｂを選択することを、ｂ側端子部を選択するともいう。
【０１２２】
制御部２５は、バッファメモリ２２から要素抽出部４１に供給されたファイルが本線データのMXFファイルである場合には、ａ側端子部を選択するように、スイッチ５０乃至５３を制御する。この場合、スイッチ５０は、要素抽出部４１で抽出された本線のビデオデータをデータ変換部５４に供給し、スイッチ５１は、IMXデコーダ４２、画素間引き部４３、およびMPEGエンコーダ４４により本線のビデオデータから生成されたプロキシビデオデータをデータ変換部５４に供給する。また、スイッチ５２は、要素抽出部４１で抽出された本線のオーディオデータをデータ変換部５４に供給し、スイッチ５３は、A-Lawエンコーダ４８により本線のオーディオデータから生成されたプロキシオーディオデータをデータ変換部５４に供給する。
【０１２３】
また、制御部２５は、バッファメモリ２２から要素抽出部４１に供給されたファイルがプロキシデータのMXFファイルである場合には、ｂ側端子部を選択するように、スイッチ５０乃至５３を制御する。この場合、スイッチ５０は、MPEG４デコーダ４５、画素補間部４６、およびIMXエンコーダ４７によりプロキシのビデオデータから生成された本線同等ビデオデータをデータ変換部５４に供給し、スイッチ５１は、要素抽出部４１で抽出されたプロキシビデオデータをデータ変換部５４に供給する。また、スイッチ５２Aは、A-Lawデコーダ４９によりプロキシオーディオデータから生成された本線同等オーディオデータをデータ変換部５４に供給し、スイッチ５３は、要素抽出部４１で抽出されたプロキシオーディオデータをデータ変換部５４に供給する。
【０１２４】
データ変換部５４は、スイッチ５０乃至５３から供給された本線（同等）データおよびプロキシデータと、要素抽出部４１から供給されたRTメタデータとを、ディスク記録フォーマットに変換し、ディスクドライブ装置２４（のドライブインタフェース６６）に供給する。
【０１２５】
即ち、データ変換部５４は、図５を参照して説明したように、年輪単位のリアルタイムデータが光ディスク１５に記録されるように、スイッチ５０乃至５３から供給された本線（同等）データおよびプロキシデータと、要素抽出部４１から供給されたRTメタデータとを構成する（時分割多重処理する）。また、データ変換部５４は、図３および図４を参照して説明したように、本線（同等）のオーディオデータおよびビデオデータ、並びに、それらに対応するプロキシデータおよびRTメタデータそれぞれがファイルとして参照可能なように構成する（リアルタイムデータファイル生成処理）。
【０１２６】
NRTメタデータファイル生成部５５には、要素抽出部４１に入力されたファイルが、本線データ、プロキシデータ、または単独NRTメタデータのいずれのファイルであったかについての情報が、制御部２５から供給される。
【０１２７】
そして、本線データのMXFファイルが要素抽出部４１に供給された旨の情報がNRTメタデータファイル生成部５５に供給された場合、NRTメタデータファイル生成部５５は、要素抽出部４１で抽出され、供給されたNRTメタデータをディスク記録フォーマットに変換し、ディスクドライブ装置２４に供給する。このNRTメタデータファイル生成部５５がディスクドライブ装置２４に供給したNRTメタデータは、例えば、光ディスク１５上の、１クリップ分の複数の年輪単位のリアルタイムデータの後に記録される。また、光ディスク１５に記録されたNRTメタデータは、図３および図４を参照して説明したように、NRTメタデータファイルとして参照可能となる。
【０１２８】
一方、プロキシデータのMXFファイルが要素抽出部４１に供給された旨の情報がNRTメタデータファイル生成部５５に供給された場合、NRTメタデータファイル生成部５５は、デフォルトのNRTメタデータを生成し、それをディスク記録フォーマットに変換して、ディスクドライブ装置２４に供給する。このデフォルトのNRTメタデータも、光ディスク１５上の、１クリップ分の複数の年輪単位のリアルタイムデータの後に記録され、NRTメタデータファイルとして参照可能となる。なお、デフォルトのNRTメタデータは、本来のNRTメタデータに代わる仮のメタデータであり、例えば、NRTメタデータの１つであるファイルの作成日の項目においては、本来のNRTメタデータでは、撮影された日付が入力されているが、デフォルトのNRTメタデータでは、デフォルトのNRTメタデータを作成した日となされている。
【０１２９】
さらに、単独NRTメタデータのファイルが要素抽出部４１に供給された旨の情報がNRTメタデータファイル生成部５５に供給された場合、NRTメタデータファイル生成部５５は、要素抽出部４１から供給されたNRTメタデータに含まれているUMIDと同一のUMIDを、ディスクドライブ装置２４に装着されている光ディスク１５から検索する。即ち、図３を参照して上述したように、光ディスク１５に記録されているインデックスファイルに、光ディスク１５に記録されたクリップそれぞれをグローバルユニークに識別するUMIDが含まれているので、ＮRTメタデータファイル生成部５５は、インデックスファイルのデータを光ディスク１５から読み出させ、要素抽出部４１から供給されたNRTメタデータに含まれているUMIDと同一のUMIDが存在するかどうかを検索する。
【０１３０】
そして、要素抽出部４１から供給されたNRTメタデータに含まれているUMIDと同一のUMIDが検出された場合、NRTメタデータファイル生成部５５は、同一のUMIDを有する光ディスク１５のNRTメタデータを、要素抽出部４１から供給されたNRTメタデータに置き換える。この場合、既に光ディスク１５に記録されているNRTメタデータは、例えば、上述のデフォルトのNRTデータなどである。
【０１３１】
以上のように構成されるデータ生成変換部２３では、要素抽出部４１が、本線データのMXFファイルか、またはプロキシデータのMXFファイルのいずれか一方を取得する。そして、本線データのMXFファイルが取得された場合には、IMXデコーダ４２、画素間引き部４３、およびMPEG4エンコーダ４４により、本線データからプロキシデータが生成される。また、プロキシデータのMXFファイルが取得された場合には、MPEG4デコーダ４５、画素補間部４６、およびIMXエンコーダ４７により、プロキシデータから本線同等データが生成される。スイッチ５０乃至５３は、本線データのMXFファイルが取得された場合には、要素抽出部４１により抽出された本線データと、生成されたプロキシデータとを選択してデータ変換部５４に出力し、プロキシデータのMXFファイルが取得された場合には、要素抽出部４１により抽出されたプロキシデータと、生成された本線同等データとを選択してデータ変換部５４に出力する。データ変換部５４は、本線（同等）データ、プロキシデータ、RTメタデータ、NRTメタデータ（デフォルトのNRTメタデータ）を、ディスク記録フォーマットに変換し、ディスクドライブ装置２４に供給する。
【０１３２】
図１１は、ディスクドライブ装置２４の詳細な構成例を示すブロック図である。
【０１３３】
ローディングメカニズムコントローラ６１は、光ディスク１５の着脱を制御する。メカニズムインタフェース６２は、制御部２５（図１）からの指令をローディングメカニズムコントローラ６１に伝達する。ピックアップコントローラ６４は、ピックアップ６３のメカニカルな動きを制御する。データプロセッサ６５は、光ディスク１５に記録させるデータをピックアップ６３に出力するとともに、ピックアップ６３でレーザの反射光から検出されたデータを取得する。ドライブインタフェース６６は、制御部２５またはデータ生成変換部２３と、ピックアップコントローラ６４またはデータプロセッサ６５との間で、ピックアップ６３を制御する制御コマンド、および光ディスク１５に対する書き込みまたは読み出しのデータの中継を行う。
【０１３４】
以上のように構成されるディスクドライブ装置２４は、データ生成変換部２３から供給される本線（同等）データ、プロキシデータ、RTメタデータまたはNRTメタデータを、装着された光ディスク１５に記録する。
【０１３５】
次に、図１２のフローチャートを参照して、データ生成変換部２３が行うデータ生成変換処理について説明する。なお、この処理は、バッファメモリ２２から本線データのMXFファイル、プロキシデータのMXFファイル、または単独NRTメタデータのファイルが供給されたときに開始される。
【０１３６】
初めに、ステップＳ１１において、要素抽出部４１は、バッファメモリ２２から供給された本線データのMXFファイル、プロキシデータのMXFファイル、または単独NRTメタデータのファイルを取得する。また、ステップＳ１１において、要素抽出部４１は、取得したファイルが、本線データまたはプロキシデータのMXFファイルか、若しくは、単独NRTメタデータのファイルかを判別する。
【０１３７】
ステップＳ１１で、バッファメモリ２２から供給されたファイルが、本線データまたはプロキシデータのMXFファイルであると判別された場合、ステップＳ１２に進み、要素抽出部４１は、さらにそのファイルが、本線データまたはプロキシデータのいずれのMXFファイルであるかを判別する。
【０１３８】
ステップＳ１２で、バッファメモリ２２から供給されたファイルが、本線データのMXFファイルであると判別された場合、ステップＳ１３に進み、制御部２５は、スイッチ５０乃至５３を制御し、ａ側端子部を選択させる（スイッチ５０乃至５３は、ａ側端子部を選択する）。
【０１３９】
そして、ステップＳ１４において、要素抽出部４１は、MXFファイルのボディの各ピクチャアイテムから、本線のビデオデータを抽出し、IMXデコーダ４２およびスイッチ５０の端子部５０ａに供給するとともに、MXFファイルのボディの各サウンドアイテムから、本線のオーディオデータを抽出し、A-Lawエンコーダ４８およびスイッチ５２の端子部５２ａに供給する。また、ステップＳ１４において、要素抽出部４１は、MXFファイルのボディの各システムアイテムから、RTメタデータを抽出し、データ変換部５４に供給するとともに、MXFファイルのヘッダのヘッダメタデータから、NRTメタデータを抽出し、NRTメタデータファイル生成部５５に供給する。
【０１４０】
ステップＳ１４の処理後、ステップＳ１５に進み、IMXデコーダ４２は、要素抽出部４１から供給された本線のビデオデータをMPEG IMX方式により復号し、画素間引き部４３に供給して、ステップＳ１６に進む。
【０１４１】
ステップＳ１６において、画素間引き部４３は、IMXデコーダ４２から供給された本線のビデオデータに対して間引き処理を行い、処理後のビデオデータをMPEG4エンコーダ４４に供給して、ステップＳ１７に進む。
【０１４２】
ステップＳ１７において、MPEG４エンコーダ４４は、画素間引き部４３からのビデオデータをMPEG４方式により符号化し、スイッチ５１の端子部５１ａに供給して、ステップＳ１８に進む。
【０１４３】
ステップＳ１８において、A-Lawエンコーダ４８は、要素抽出部４１から供給されたAES3形式の非圧縮のオーディオデータを、ITU-T G.711 A-Law方式により符号化し、スイッチ５３の端子部５３ａに供給して、ステップＳ１９に進む。
【０１４４】
なお、ステップＳ１８の処理は、上述したステップＳ１５乃至Ｓ１７の処理より先に行っても良いし、ステップＳ１５乃至Ｓ１７の処理と並行して行うこともできる。
【０１４５】
ステップＳ１９において、データ変換部５４は、ネットワーク１３を介して映像記録装置１１から送信されてきた本線データのMXFファイルから生成（または抽出）された、本線データ、プロキシデータ、およびRTメタデータを、ディスク記録フォーマットに変換し、ディスクドライブ装置２４に供給して、ステップＳ２０に進む。
【０１４６】
ステップＳ２０において、データ生成変換部２３は、要素抽出部４１に新たなファイルが供給されたか否かを判定する。ステップＳ２０で、要素抽出部４１に新たなファイルが供給されたと判定された場合、ステップＳ１４に戻り、上述した処理を繰り返す。
【０１４７】
一方、ステップＳ２０で、要素抽出部４１に新たなファイルが供給されていないと判定された場合、ステップＳ２１に進み、NRTメタデータファイル生成部５５は、本線データのMXFファイルが要素抽出部４１に供給された旨の情報を制御部２５から取得し、要素抽出部４１から供給されたNRTメタデータをディスク記録フォーマットに変換し、ディスクドライブ装置２４に供給して、処理を終了する。
【０１４８】
一方、ステップＳ１２で、バッファメモリ２２から供給されたファイルが、プロキシデータのMXFファイルであると判別された場合、ステップＳ２２に進み、制御部２５は、スイッチ５０乃至５３を制御し、ｂ側端子部を選択させる（スイッチ５０乃至５３は、ｂ側端子部を選択する）。
【０１４９】
そして、ステップＳ２３において、要素抽出部４１は、MXFファイルのボディの各ピクチャアイテムから、プロキシビデオデータを抽出し、MPEG4デコーダ４５およびスイッチ５１の端子部５１ｂに供給するとともに、MXFファイルのボディの各サウンドアイテムから、プロキシオーディオデータを抽出し、A-Lawデコーダ４９およびスイッチ５３の端子部５３ｂに供給する。また、ステップＳ２３において、要素抽出部４１は、MXFファイルのボディの各システムアイテムから、RTメタデータを抽出し、データ変換部５４に供給する。
【０１５０】
ステップＳ２３の処理後、ステップＳ２４乃至Ｓ２７において、プロキシビデオデータおよびプロキシオーディオデータそれぞれから、本線同等ビデオデータおよび本線同等オーディオデータが生成される。
【０１５１】
即ち、ステップＳ２４において、MPEG４デコーダ４５は、要素抽出部４１から供給されたプロキシビデオデータをMPEG４方式により復号し、画素補間部４６に供給して、ステップＳ２５に進む。
【０１５２】
ステップＳ２５において、画素補間部４６は、MPEG4デコーダ４５から供給されたプロキシビデオデータに対して画素補間処理を行い、処理後のビデオデータをIMXエンコーダ４７に供給して、ステップＳ２６に進む。
【０１５３】
ステップＳ２６において、IMXエンコーダ４７は、画素補間部４６からのビデオデータをMPEG IMX方式により符号化し、スイッチ５０の端子部５０ｂに供給して、ステップＳ２７に進む。
【０１５４】
ステップＳ２７において、A-Lawデコーダ４９は、要素抽出部４１から供給されたプロキシオーディオデータをITU-T G.711 A-Law方式により復号し、スイッチ５２の端子部５２ｂに供給して、ステップＳ２８に進む。
【０１５５】
なお、ステップＳ２７の処理は、上述したステップＳ２４乃至Ｓ２６の処理より先に行っても良いし、ステップＳ２４乃至Ｓ２６の処理と並行して行うこともできる。
【０１５６】
ステップＳ２８において、データ変換部５４は、ネットワーク１３を介して映像記録装置１１から送信されてきたプロキシデータのMXFファイルから生成（または抽出）された、本線同等データ、プロキシデータ、およびRTメタデータを、ディスク記録フォーマットに変換し、ディスクドライブ装置２４に供給して、ステップＳ２９に進む。
【０１５７】
ステップＳ２９において、データ生成変換部２３は、要素抽出部４１に新たなファイルが供給されたか否かを判定する。ステップＳ２９で、要素抽出部４１に新たなファイルが供給されたと判定された場合、ステップＳ２３に戻り、上述した処理を繰り返す。
【０１５８】
一方、ステップＳ２９で、要素抽出部４１に新たなファイルが供給されていないと判定された場合、ステップＳ３０に進み、NRTメタデータファイル生成部５５は、プロキシデータのMXFファイルが要素抽出部４１に供給された旨の情報を制御部２５から取得し、デフォルトのNRTメタデータを生成する。また、ステップＳ３０において、NRTメタデータファイル生成部５５は、生成したNRTメタデータをディスク記録フォーマットに変換し、ディスクドライブ装置２４に供給して、処理を終了する。
【０１５９】
一方、上述したステップＳ１１において、バッファメモリ２２から供給されたファイルが、本線データまたはプロキシデータのMXFファイルではないと判別された場合、ステップＳ３１に進み、要素抽出部４１は、さらにそのファイルが、単独NRTメタデータのファイルであるかを判別する。
【０１６０】
ステップＳ３１で、バッファメモリ２２から供給されたファイルが単独NRTメタデータのファイルではないと判別された場合、要素抽出部４１は、処理を終了する。一方、ステップＳ３１で、バッファメモリ２２から供給されたファイルが単独NRTメタデータのファイルであると判別された場合、ステップ３２に進み、要素抽出部４１は、供給されたファイルからNRTメタデータを抽出し、NRTメタデータファイル生成部５５に供給して、ステップＳ３３に進む。
【０１６１】
ステップＳ３３において、制御部２５は、単独NRTメタデータのファイルが要素抽出部４１に供給された旨の情報をNRTメタデータファイル生成部５５に供給し、NRTメタデータファイル生成部５５は、それを取得する。また、ステップＳ３３において、NRTメタデータファイル生成部５５は、要素抽出部４１から供給されたNRTメタデータに含まれているUMIDと同一のUMIDを、ディスクドライブ装置２４に装着されている光ディスク１５から検索する。
【０１６２】
即ち、ステップＳ３３では、ＮRTメタデータファイル生成部５５は、光ディスク１５のインデックスファイルのデータを光ディスク１５から読み出し、要素抽出部４１から供給されたNRTメタデータに含まれているUMIDと同一のUMIDが存在するかどうかを判定する。
【０１６３】
そして、ステップＳ３３で、要素抽出部４１から供給されたNRTメタデータに含まれているUMIDと同一のUMIDが光ディスク１５に存在しないと判定された場合、ＮRTメタデータファイル生成部５５は、処理を終了する。
【０１６４】
一方、ステップＳ３３で、要素抽出部４１から供給されたNRTメタデータに含まれているUMIDと同一のUMIDが光ディスク１５に存在すると判定された場合、ステップＳ３４に進み、NRTメタデータファイル生成部５５は、要素抽出部４１から供給されたNRTメタデータをディスクドライブ装置２４に供給し、同一のUMIDを有する光ディスク１５のNRTメタデータを、要素抽出部４１から供給されたNRTメタデータに置き換えて（書き換えて）、処理を終了する。
【０１６５】
以上のように、データ生成変換処理によれば、データ生成変換部２３は、映像記録装置１１から送信されてきたファイルが本線データのMXFファイルである場合、そのファイルから、本線データ、RTメタデータ、およびNRTメタデータを抽出するとともに、本線データをダウンコンバートしてプロキシデータを生成する。
【０１６６】
また、データ生成変換部２３は、映像記録装置１１から送信されてきたファイルがプロキシデータのMXFファイルである場合、そのファイルから、プロキシデータ、RTメタデータを抽出するとともに、プロキシデータをアップコンバートして本線同等データを生成する。さらに、データ生成変換部２３は、デフォルトのNRTメタデータを生成する。
【０１６７】
これにより、ディスク装置１４では、映像記録装置１１からプロキシデータのMXFファイルが伝送されてきた場合でも、本線データと同等な本線同等データおよびNRTメタデータを生成して、光ディスク１５に記録させることができる。換言すれば、伝送されてきたプロキシデータのMXFファイルから、光ディスク１２と同一のデータ構成となるように不足しているデータを生成して、光ディスク１５に記録させることができる。
【０１６８】
また、データ生成変換処理によれば、映像記録装置１１から伝送されてきたファイルが単独NRTメタデータのファイルである場合、伝送されてきたNRTメタデータに含まれているUMIDと同一のUMIDが光ディスク１５に記録されているかどうか検索し、伝送されてきたNRTメタデータに含まれているUMIDと同一のUMIDを有するNRTメタデータを、伝送されてきたNRTメタデータに置き換える。
【０１６９】
これにより、プロキシデータのMXFファイルから仮に作成され、光ディスク１５に記録済みのデフォルトのNRTメタデータを、本来のNRTメタデータに置き換えることができる。
【０１７０】
本線データは、上述したように、データ量が大きいため、本線データのMXFファイルを送信するのには時間がかかる。一方、プロキシデータは、データ量が少なく、プロキシデータのMXFファイルを比較的短時間で送信することができる。また、NRTメタデータのファイルも比較的短時間で送信することができる。
【０１７１】
したがって、短時間で伝送させることができるプロキシデータのMXFファイルから、本線データと同等な本線同等データを生成（用意）することができるので、光ディスク１５には、本線データとプロキシデータが記録されている光ディスク１２と同一構成の、本線同等データとプロキシデータを記録させることができ、その光ディスク１５を用いて、遠方で撮像した映像の緊急の放送などに対応することができる。
【０１７２】
上述した例では、標準AV多重フォーマットの例として、MXFを例に説明したが、その他のフォーマットを採用してもよい。
【０１７３】
また、上述した例では、プロキシデータのMXFファイルには、NRTメタデータが含まれていないものとして説明したが、プロキシデータのMXFファイルには、本線データのMXFファイルにおける場合と同様にNRTメタデータを含むようにしてもよく、その場合、NRTメタデータファイル生成部５５は、デフォルトのNRTメタデータを生成せずに、プロキシデータのMXFファイルから抽出されたNRTメタデータをデータ変換部５４に供給する。これにより、本来のNRTメタデータを、本線同等データおよびプロキシデータと同時に光ディスク１５に記録させることができる。
【０１７４】
また、本実施の形態では、記録媒体として光ディスクにAVデータを記録する例を説明したが、記録媒体は、その他ハードディスクや半導体メモリなどであってもよい。
【０１７５】
上述した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０１７６】
そこで、図１３は、上述した一連の処理を実行するプログラムがインストールされるコンピュータの一実施の形態の構成例を示している。
【０１７７】
プログラムは、コンピュータに内蔵されている記録媒体としてのハードディスク１０５やＲＯＭ１０３に予め記録しておくことができる。
【０１７８】
あるいはまた、プログラムは、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体１１１に、一時的あるいは永続的に格納（記録）しておくことができる。このようなリムーバブル記録媒体１１１は、いわゆるパッケージソフトウエアとして提供することができる。
【０１７９】
なお、プログラムは、上述したようなリムーバブル記録媒体１１１からコンピュータにインストールする他、ダウンロードサイトから、ディジタル衛星放送用の人工衛星を介して、コンピュータに無線で転送したり、LAN(Local Area Network)、インターネットといったネットワークを介して、コンピュータに有線で転送し、コンピュータでは、そのようにして転送されてくるプログラムを、通信部１０８で受信し、内蔵するハードディスク１０５にインストールすることができる。
【０１８０】
コンピュータは、CPU(Central Processing Unit)１０２を内蔵している。CPU１０２には、バス１０１を介して、入出力インタフェース１１０が接続されており、CPU１０２は、入出力インタフェース１１０を介して、ユーザによって、キーボードや、マウス、マイク等で構成される入力部１０７が操作等されることにより指令が入力されると、それにしたがって、ROM(Read Only Memory)１０３に格納されているプログラムを実行する。あるいは、また、CPU１０２は、ハードディスク１０５に格納されているプログラム、衛星若しくはネットワークから転送され、通信部１０８で受信されてハードディスク１０５にインストールされたプログラム、またはドライブ１０９に装着されたリムーバブル記録媒体１１１から読み出されてハードディスク１０５にインストールされたプログラムを、RAM(Random Access Memory)１０４にロードして実行する。これにより、CPU１０２は、上述したフローチャートにしたがった処理、あるいは上述したブロック図の構成により行われる処理を行う。そして、CPU１０２は、その処理結果を、必要に応じて、例えば、入出力インタフェース１１０を介して、LCD(Liquid Crystal Display)やスピーカ等で構成される出力部１０６から出力、あるいは、通信部１０８から送信、さらには、ハードディスク１０５に記録等させる。
【０１８１】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【図面の簡単な説明】
【０１８２】
【図１】本発明を適用したAVネットワークシステムの一実施の形態の構成例を示すブロック図である。
【図２】光ディスク１２に記録されているデータについて説明する図である。
【図３】ディスク記録フォーマットについて説明する図である。
【図４】ディスク記録フォーマットについて説明する図である。
【図５】ディスク記録フォーマットについて説明する図である。
【図６】標準AV多重フォーマットについて説明する図である。
【図７】標準AV多重フォーマットについて説明する図である。
【図８】標準AV多重フォーマットについて説明する図である。
【図９】標準AV多重フォーマットについて説明する図である。
【図１０】データ生成変換部２３の詳細な構成例を示すブロック図である。
【図１１】ディスクドライブ装置２４の詳細な構成例を示すブロック図である。
【図１２】データ生成変換処理について説明するフローチャートである。
【図１３】本発明を適用したコンピュータの一実施の形態の構成例を示すブロック図である。
【符号の説明】
【０１８３】
１４  ディスク装置，  １５  光ディスク，  ２１  通信I/F，  ２２  バッファメモリ，  ２３  データ生成変換部，  ２４  ディスクドライブ装置，  ４１  要素抽出部，  ４２  IMXデコーダ，  ４３  画素間引き部，  ４４  MPEG4エンコーダ，  ４５  MPEG4デコーダ，  ４６  画素補間部，  ４７  IMXエンコーダ，  ４８  A-Lawエンコーダ，  ４９  A-Lawデコーダ，  ５０乃至５３  スイッチ，  ５４  データ変換部，  ５５  NRTメタデータファイル生成部
【図１】
2006352556.tif 000003
【図２】
2006352556.tif 000004
【図３】
2006352556.tif 000005
【図４】
2006352556.tif 000006
【図５】
2006352556.tif 000007
【図６】
2006352556.tif 000008
【図７】
2006352556.tif 000009
【図８】
2006352556.tif 000010
【図９】
2006352556.tif 000011
【図１０】
2006352556.tif 000012
【図１１】
2006352556.tif 000013
【図１２】
2006352556.tif 000014
【図１３】
2006352556.tif 000015